(57)【特許請求の範囲】
【請求項１】
第１の面から入射した光を第２の面で反射して第３の面から出射させるプリズムと、プリズムを保持するプリズム保持枠から成るプリズムユニットにおいて、
プリズムの第２の面に接着された間接保持部材を備え、
間接保持部材がプリズム保持枠に固定されて、プリズムが間接保持部材を介してプリズム保持枠に保持されており、間接保持部材の縁部がプリズムの第２の面の縁から突出し、間接保持部材の縁部のプリズム側の面がプリズム保持枠に当接しており、
プリズム保持枠に対する間接保持部材およびプリズムの位置および傾きを規定するための４つの基準面がプリズム保持枠に設けられており、そのうちの３つの基準面が同一平面上に位置し、他の１つの基準面がその平面に対して垂直であり、前記第２の面から突出した縁部のプリズム側の面が、前記３つの基準面に当接し、かつ、前記プリズム側の面に対して垂直に交差する面が前記１つの基準面に当接した状態で、間接保持部材がプリズム保持枠に接着により固定されている
ことを特徴とするプリズムユニット。
【請求項２】
プリズムの第２の面に反射コーティングが施されていることを特徴とする請求項１記載のプリズムユニット。
【請求項３】
プリズムと間接保持部材とを接着する接着剤の屈折率がプリズムの屈折率よりも小さいことを特徴とする請求項１記載のプリズムユニット。
【請求項４】
プリズムと間接保持部材とを接着する接着剤の屈折率が、プリズムの屈折率に略等しく、間接保持部材の屈折率よりも大きいことを特徴とする請求項１記載のプリズムユニット。
【請求項５】
間接保持部材のプリズム側の面に反射コーティングが施されており、プリズムと間接保持部材とを接着する接着剤の屈折率がプリズムの屈折率に略等しいことを特徴とする請求項１記載のプリズムユニット。
【請求項６】
間接保持部材がプリズムの第２の面の周辺部に接着されて、プリズムの第２の面の中央部と間接保持部材との間に空隙が存在することを特徴とする請求項１記載のプリズムユニット。
【請求項７】
プリズムと間接保持部材の線熱膨張係数が略等しいことを特徴とする請求項１記載のプリズムユニット。
【請求項８】
請求項１から請求項７までのいずれか１項に記載のプリズムユニットと、プリズムの第３の面から出射した光を結像させる１以上のレンズ群を備えることを特徴とする撮像光学ユニット。
【請求項９】
請求項８に記載の撮像光学ユニットと、撮像光学ユニットによる光の結像位置に配置された撮像素子を備えることを特徴とする撮像装置。
【発明の詳細な説明】
【技術分野】
【０００１】
本発明は、プリズムおよびその保持枠より成るプリズムユニット、ならびに、プリズムユニットを備える撮像光学ユニットおよび撮像装置に関する。
【背景技術】
【０００２】
デジタルカメラの薄型化を図るために、撮影対象からの光を撮像素子に導いて結像させる撮像光学系の光軸を折り曲げて、光軸の大部分を前後方向に対して垂直にすることが提案されている。撮像光学系の光軸を折り曲げることは、ミラーによって容易に行うことができるが、特開２００３−１６９２３６号には、プリズムによって光軸を折り曲げるようにした光学系が開示されている。
【特許文献１】特開２００３−１６９２３６号公報
【０００３】
プリズムによって光軸を折り曲げる構成では、撮影対象からの光は、直交する２つの面の一方からプリズム内部に入り、斜面で反射されて、直交する２つの面の他方から出射し、その後、いくつかのレンズ群を経て撮像素子上に結像する。プリズムは、空気よりも屈折が大きいため、撮像光学系に必要な光学的光路長を、ミラーを用いる場合よりも短い物理的光路長で確保することができる点で、有利である。
【０００４】
上記公報ではプリズムを保持するための構成については言及されていないが、量産性を考慮すると、プリズムを保持するプリズム保持枠は、材料として樹脂を用い、成形によって製造するのが好ましい。ただし、光を反射する斜面の位置や向きが設計どおりになるように、プリズムを精度よくプリズム保持枠に固定する必要がある。
【発明の開示】
【発明が解決しようとする課題】
【０００５】
プリズム保持枠に対するプリズムの位置を一定に保つ方法としては、（１）光を反射するプリズムの斜面自体を保持枠に当接させる、（２）プリズムの互いに直交する２つの面の一方または双方を保持枠に当接させる、（３）プリズムの側面（斜面に対して垂直な面）を保持枠に当接させる、（４）プリズムと保持枠の位置関係が一定になるように、組み立て設備で両者を保持しておき、その状態で接着により固定する等が考えられる。しかしながら、これらの方法には、以下のような問題がある。
【０００６】
（１）の方法は、光を反射する面自体をプリズム保持枠に当接させるものであるため、高い精度を実現できると期待されるが、プリズム保持枠のうちプリズムの斜面に当接してプリズムの位置決めの基準となる基準面の精度を確保することが難しい。これは、次の理由による。樹脂成形でプリズム保持枠を製造する場合、対向する２つの金型の一方の底部に基準面を規定する形状を形成しておくのが最も精度が高くなる。しかし、プリズムの斜面の基準面は、プリズム全体を収容するプリズム保持枠の内部側を向くため、そのような金型を採用することはできない。このため、複雑な形状の３つ以上の金型を用いる必要があり、金型の作製に多大なコストを要する。また、研磨等の機械的加工によって基準面を形成するのでは、個々のプリズム保持枠の作製に要する時間とコストが多くなり、量産には適さない。
【０００７】
（２）や（３）の方法は、プリズム保持枠に当接させるプリズムの面と斜面との成す角を高精度にしておく必要があり、プリズムの作製に多くの時間とコストを要する。また、（４）の方法は、組み立て設備に高い精度が要求されることになり、コスト増を招く結果となる。
【０００８】
本発明はこのような問題点に鑑みてなされたもので、プリズム保持枠に対するプリズムの光を反射する面の位置や向きの精度が高く、しかも製造が容易なプリズムユニットを提供することを目的とする。また、質の高い画像を提供することが可能で低コストの撮像光学ユニットおよび撮像装置を実現することを目的とする。
【課題を解決するための手段】
【０００９】
上記目的を達成するために、本発明では、第１の面から入射した光を第２の面で反射して第３の面から出射させるプリズムと、プリズムを保持するプリズム保持枠から成るプリズムユニットにおいて、プリズムの第２の面に接着された間接保持部材を備え、間接保持部材がプリズム保持枠に固定されて、プリズムが間接保持部材を介してプリズム保持枠に保持されている構成とする。
【００１０】
このプリズムユニットでは、間接保持部材の任意の面をプリズム保持枠に当接させて固定することが可能であり、製造が容易になる。プリズムの第２の面と、これに接着される間接保持部材の面を平行にすることに困難はなく、また、間接保持部材の接着面と他の１つの面との角度を一定にすることは、３つの面の角度を一定にする必要があるプリズムに比べて、はるかに容易で短時間で達成することが可能である。例えば、間接保持部材にプリズムの第２の面側の面に直交する面を設けて、この面がプリズム保持枠に当接する構成とすることができる。
【００１１】
上記プリズムユニットは、間接保持部材の縁部がプリズムの第２の面の縁から突出し、間接保持部材の縁部のプリズム側の面がプリズム保持枠に当接している構成とするとよい。この構成では、間接保持部材の位置や傾きを規定する基準面がプリズム保持枠の外側を向くことになり、プリズム保持枠を樹脂の成形によって作製しながら、基準面を精度よく形成することができる。したがって、高精度かつ低コストのプリズムユニットとなる。
【００１２】
ここで、プリズム保持枠が、間接保持部材の縁部のプリズム側の面に当接して、間接保持部材の位置合わせの基準となる第１の基準面と、プリズムの第３の面に対向して配置される外部の部材に当接して、その部材との位置合わせの基準となる第２の基準面を有し、所定方向から第１の基準面を見たときに第１の基準面を遮る部分を有さず、前記所定方向とは逆の方向から第２の基準面を見たときに第２の基準面を遮る部分を有さない構成とすることができる。
【００１３】
プリズムユニットから出射した光を他の光学素子に入射させる場合、プリズムユニットと光学素子の位置合わせも精度よく行う必要があり、第２の基準面はそのために利用される。第１の基準面はプリズム保持枠の外側を向き、第２の基準面もプリズム保持枠の外側を向くが、両者の向く方向の成す角は鈍角である。また、所定方向とその逆方向から第１の基準面と第２の基準面をそれぞれ見たときに、第１の基準面や第２の基準面を遮る部分がプリズム保持枠にないため、これらの方向に沿って接近・離間する金型を用いる成形によって、第１の基準面と第２の基準面を精度よく現出しながら、プリズム保持枠を容易に製造することができる。
【００１４】
上記のプリズムユニットはいずれも、プリズムの第２の面に反射コーティングが施されている構成とすることができる。プリズムと間接保持部材とを接着する接着剤の屈折率が
プリズムや間接保持部材の屈折率と異なると、光は、プリズムと接着剤の界面で反射されるばかりでなく、接着剤と間接保持部材の界面でも反射されることになって、分離する。しかし、この構成では、光はプリズムと間接保持部材とを接着する接着剤に達する前に全て反射されることになり、光が分離することはない。
【００１５】
プリズムと間接保持部材とを接着する接着剤の屈折率がプリズムの屈折率よりも小さい設定としてもよい。この設定では、光はプリズムと接着剤との界面で大部分が反射されることになり、光の分離を抑えることができる。プリズムと接着剤の屈折率差を大きくすることで、両者の界面で光を全反射することも可能である。
【００１６】
プリズムと間接保持部材とを接着する接着剤の屈折率が、プリズムの屈折率に略等しく、間接保持部材の屈折率よりも大きい設定としてもよい。この設定では、光は全てプリズムと接着剤の界面を透過して、大部分が接着剤と間接保持部材の界面で反射されることになり、光の分離を抑えることができる。接着剤と間接保持部材の屈折率差を大きくすることで、両者の界面で光を全反射することも可能である。
【００１７】
間接保持部材のプリズム側の面に反射コーティングが施されており、プリズムと間接保持部材とを接着する接着剤の屈折率がプリズムの屈折率に略等しい構成とすることも可能である。この構成では、光は全てプリズムと接着剤の界面を透過した後に反射されることになり、分離する光は生じない。
【００１８】
間接保持部材がプリズムの第２の面の周辺部に接着されて、プリズムの第２の面の中央部と間接保持部材との間に空隙が存在する構成としてもよい。この構成では、光は第２の面と空隙との界面で全反射されることになり、分離する光は生じない。
【００１９】
また、プリズムと間接保持部材の線熱膨張係数が略等しい設定とするのが好ましい。プリズムと間接保持部材の相対位置が温度変化によって変動するのを防止することができる。
【００２０】
前記目的を達成するために、本発明ではまた、撮像光学ユニットは、上記のいずれかのプリズムユニットと、プリズムの第３の面から出射した光を結像させる１以上のレンズ群を備えるものとする。
【００２１】
本発明ではさらにまた、撮像装置は、上記の撮像光学ユニットと、撮像光学ユニットによる光の結像位置に配置された撮像素子を備えるものとする。
【発明の効果】
【００２２】
本発明のプリズムユニットは、間接保持部材の任意の面をプリズム保持枠に当接させて固定することが可能であるため、プリズム保持枠に対するプリズムの光を反射する面の位置や向きの精度を高くしながら、容易に製造することができる。特に、間接保持部材の縁部がプリズムの第２の面の縁から突出し、間接保持部材の縁部のプリズム側の面がプリズム保持枠に当接している構成では、間接保持部材の位置や傾きを規定する基準面がプリズム保持枠の外側を向くことになるため、プリズム保持枠を樹脂の成形によって作製しながら、基準面を精度よく形成することができて、一層高精度のプリズムユニットとなる。
【００２３】
また、本発明の撮像光学ユニットや撮像装置は、プリズムユニットの特徴により、低コストでありながら、質の高い画像を提供することができる。
【発明を実施するための最良の形態】
【００２４】
以下、本発明の一実施形態であるデジタルカメラについて図面を参照しながら説明する。本実施形態のデジタルカメラ１の外観を図１に模式的に示す。図１において、（ａ）は正面図、（ｂ）は背面図であり、点線は後述する内部の撮像光学ユニットを表している。
【００２５】
デジタルカメラ１は、最も短い辺が他の辺の数分の１程度の大きさの概ね直方体状の筐体１０を有しており、通常の撮影時には、筐体１０の最も短い辺の方向（図１の紙面に垂直な方向）が前後方向、最も長い辺の方向（図１の左右方向）が左右方向、それらの間の長さの辺の方向（図１の上下方向）が上下方向を向く状態で、使用者に把持されるように設定されている。以下、この状態を基準として、前後、左右、上下の各方向を定める。
【００２６】
デジタルカメラ１は、前面に、対物窓１１、ファインダー前窓１２ａ、フラッシュ発光部１３、セルフタイマーランプ１４、背面に、ファインダー後窓１２ｂ、表示部１５、モード設定スイッチ１６、カーソルボタン１７、複数の操作キー１８、上面に、レリーズボタン１９を備えている。
【００２７】
対物窓１１は開閉可能であり、対物窓１１を開くと、後述の撮像光学系に含まれる第１のレンズ群が現れる。ファインダー窓１２ａ、１２ｂは撮影対象の光学像を提供し、フラッシュ発光部１３は撮影対象を照明するフラッシュ光を発する。セルフタイマーランプ１４は、セルフタイマー撮影の準備が進行中であることを点灯により示す。
【００２８】
表示部１５は液晶表示器から成り、撮影した画像のほか、デジタルカメラ１の設定状況、操作案内等の諸情報を表示する。モード設定スイッチ１６は、スライド式であり、デジタルカメラ１の動作モードの設定に用いられる。デジタルカメラ１は、静止画を撮影して記録する静止画撮影モードと、動画を撮影して記録する動画撮影モードと、記録している画像を再生表示する再生モードを有しており、モード設定スイッチ１６の近傍には各モードを表すマークが記されている。
【００２９】
カーソルボタン１７は、上下左右に４つの接点を有しており、表示部１５に表示されるカーソルの移動に用いられる。デジタルカメラ１は、撮像光学系としてズームレンズを備えており、カーソルボタン１７はその焦点距離の調節にも使用される。操作キー１８は、表示部１５に表示する項目の切り換え、表示した項目の選択等、デジタルカメラ１の機能に関する設定に用いられる。レリーズボタン１９は２段階で動作し、記録する画像の撮影の準備の指示と、記録する画像の撮影の指示に用いられる。デジタルカメラ１は自動焦点調節（ＡＦ）と自動露光制御（ＡＥ）の機能を有しており、撮影の準備ではＡＦとＡＥを行う。
【００３０】
デジタルカメラ１の撮像光学系を図２の側面断面図に示す。デジタルカメラ１は、筐体１０内に、第１のレンズ群２１、第２のレンズ群２２、第３のレンズ群２３、第４のレンズ群２４、およびプリズム２５より成る撮像光学系と、ＣＣＤエリアセンサ等の撮像素子２６と、光学的ローパスフィルタ２７を備えており、撮影対象からの光を撮像光学系によって撮像素子２６上に結像させるとともに、撮像素子２６によって光を電気信号に変換することによって、撮影を行う。撮像光学系および撮像素子２６は、筐体１０の左右方向の端部付近に配設されている。
【００３１】
撮像素子２６が出力する信号は、不図示の回路によって処理されて、撮影した画像を表す画像データとされる。画像データは着脱可能な記録媒体（不図示）に記録することができる。
【００３２】
撮像素子２６は筐体１０に設けられた支持基板１０ａに固定されており、ローパスフィルタ２７は、撮像素子２６に固定されている。第１のレンズ群２１はプリズム２５と共にプリズム保持枠４１に収容されており、第２のレンズ群２２、第３のレンズ群２３、および第４のレンズ群２４は、レンズ鏡胴４２に収容されている。第２のレンズ群２２は第１のレンズ群２１と撮像素子２６の間に配置されており、第３のレンズ群２３は第２のレンズ群２２と撮像素子２６の間に配置されており、第４のレンズ群２４は第３のレンズ群２３と撮像素子２６の間に配置されている。
【００３３】
第１のレンズ群２１に含まれる一部のレンズ２１ａは、その光軸が前後方向を向くように設定されており、第１のレンズ群２１に含まれる他のレンズ２１ｂは、その光軸がレンズ２１ａの光軸と直交し、上下方向を向くように設定されている。
【００３４】
プリズム２５は、断面が直角二等辺三角形の三角プリズムであり、互いに直交する２つの面の一方がレンズ２１ａに対向し、他方がレンズ２１ｂに対向し、さらに、斜面が、レンズ２１ａの光軸とレンズ２１ｂの光軸との交点上に位置し、かつ、レンズ２１ａの光軸とレンズ２１ｂの光軸に対して４５゜を成すように配置されている。
【００３５】
第２のレンズ群２２、第３のレンズ群２３、および第４のレンズ群２４は、各々の光軸がレンズ２１ｂの光軸と一致するように設定されている。したがって、撮像光学系全体としての光軸は、途中でプリズム２５によって９０゜折り曲げられて、大部分が上下方向を向く設定となっている。プリズム２５の斜面には反射コーティングが施されており、プリズム２５は、レンズ２１ａを透過して入射する撮影対象からの光を、斜面によって反射してレンズ２１ｂに導く。
【００３６】
第１のレンズ群２１と第４のレンズ群２４は固定である。第２のレンズ群２２と第３のレンズ群２３はいずれも、光軸方向に移動可能である。第２のレンズ群２２の移動によってズーミングすなわち焦点距離の変更が行われ、第３のレンズ群２３の移動によってフォーカシングすなわち撮影対象に対する焦点の調節が行われる。
【００３７】
プリズム保持枠４１は、樹脂を材料として用い、金型を用いる成形で製造される。レンズ鏡胴４２も同様である。プリズム保持枠４１とレンズ鏡胴４２は接着により固定されている。プリズム保持枠４１と、これに保持されたプリズム２５と第１のレンズ群２１（レンズ群２１ａ、２１ｂ）は、プリズムユニット４０を成す。また、レンズ鏡胴４２と、これに保持された第２、第３、第４のレンズ群２２、２３、２４は、プリズムユニット４０と共に、撮像光学ユニット５０を成す。
【００３８】
プリズム２５をプリズム保持枠４１に固定するための構成を図３に模式的に示す。プリズム２５は、互いに直交し、第１のレンズ群２１のレンズ２１ａ、２１ｂにそれぞれ対向する面２５ａ、２５ｂと、これらの面に対して４５゜で交差する斜面２５ｃを有する。この斜面２５ｃにガラスより成る板状の保持部材３１が接着されており、保持部材３１がプリズム保持枠４１に固定される。斜面２５ｃに接着された保持部材３１の面３１ａは平面であり、斜面２５ｃに平行である。また、面３１ａと交差する面３１ｂは、面３１ａに対して垂直で、プリズム２５の面２５ａ、２５ｂの交線に平行である。
【００３９】
接着されたプリズム２５と保持部材３１を図４に模式的に示す。図４において、（ａ）は側面図、（ｂ）は斜面２５ｃに対して垂直な方向から見た斜視図である。図４（ｂ）より明らかなように、プリズム２５の直交する２つの面２５ａ、２５ｂの交線に対して平行な方向について、保持部材３１はプリズム２５よりも大きく、保持部材３１の縁部はプリズム２５の面２５ｃの縁から突出している。保持部材３１は、この突出した縁部を用いて、プリズム保持枠４１に固定される。なお、プリズム２５と保持部材４１の相対位置が温度変化によって変動するのを防止するために、保持部材３１の材料としては、線熱膨張係数がプリズム２５の線熱膨張係数に略等しいものを用いている。
【００４０】
プリズムユニット４０を分解して図５〜図７に示す。図５は、プリズム２５の３つの面２５ａ、２５ｂ、２５ｃに平行な方向から見た部分断面図である。また、図６は、プリズム２５の斜面２５ｃ側から見た斜視図であり、図７は、プリズム２５の直交する２つの面２５ａ、２５ｂ側から見た斜視図である。
【００４１】
プリズム保持枠４１には、プリズム保持枠４１に対する保持部材３１およびプリズム２５の位置および傾きを規定するための３つの基準面４１ａと１つの基準面４１ｂが設けられている（図５、図６）。３つの基準面４１ａは同一平面上に位置し、基準面４１ｂはその平面に対して垂直である。保持部材３１は、斜面２５ｃから突出した縁部のプリズム２５側の面３１ａが、３つの基準面４１ａに当接し、かつ、面３１ｂが基準面４１ｂに当接した状態で、接着によりプリズム保持枠４１に固定される。
【００４２】
プリズム保持枠４１にはまた、レンズ鏡胴４２とプリズム保持枠４１の相対位置を規定するための３つの基準面４１ｃが設けられている（図７）。これらの基準面４１ｃは同一平面上に位置し、基準面４１ａに対して４５゜の角度を成す。レンズ鏡胴４２にも同じ目的の基準面が設けられている（不図示）。プリズム保持枠４１とレンズ鏡胴４２は、前者の基準面４１ｃと後者の基準面が当接した状態で、接着により固定される。
【００４３】
プリズム保持枠４１にはさらに、プリズム保持枠４１に対する第１のレンズ群２１のレンズ２１ａおよびレンズ２１ｂの位置を規定する基準面４１ｄおよび４１ｅが設けられている（図７）。基準面４１ｄは基準面４１ｃに対して垂直であり、基準面４１ｅは基準面４１ｃに対して平行である。レンズ２１ａ、２１ｂの周辺部にも基準面が設けられており、レンズ２１ａ、２１ｂはそれぞれの基準面が基準面４１ｄ、４１ｅに当接した状態で、接着によりプリズム保持枠４１に固定されている。
【００４４】
レンズ鏡胴４２用の基準面４１ｃに対して垂直な方向からプリズム保持枠４１を見るとき、プリズム保持枠４１には基準面４１ｃを遮る部分は存在しない。また、その逆方向からプリズム保持枠４１を見るとき、プリズム保持枠４１には基準面４１ａ、４１ｂを遮る部分は存在しない。
【００４５】
前述のように、プリズム保持枠４１は金型を用いる成形によって製造されるが、製造に際して用いる金型は３つである。これらの金型のうち２つは、プリズム２５を収容する部分とレンズ２１ｂを取り付けるための部分とを形成する主金型であり、それらが接近・離間する方向は、基準面４１ｃに対して垂直である。他の金型は、レンズ２１ａを取り付ける部分を形成する副金型で、主金型に対して垂直な方向に接近・離間する。
【００４６】
プリズム２５（保持部材３１）用の基準面４１ａ、４１ｂを形成する部分は一方の主金型に設けられ、レンズ鏡胴４２用の基準面４１ｃを形成する部分は他方の主金型に設けられる。したがって、プリズム保持枠４１における基準面４１ａ、４１ｂの位置や傾きの精度は高く、基準面４１ｃの位置の精度も高い。
【００４７】
保持部材３１のうち、プリズム保持枠４１に対する位置および傾きを規定するために利用される面は面３１ａと３１ｂのみであり、他の面に関係なくこれらの面３１ａ、３１ｂを精度よく直交させることはきわめて容易である。また、プリズム２５と保持部材３１の相対位置の精度を高く保ちながら両者を接着することも容易である。つまり、デジタルカメラ１では、プリズム保持枠４１とプリズム２５の位置合わせに関与する各部を全て高精度とすることが可能かつ容易であり、プリズム２５を精度よくプリズム保持枠４１で保持することができ、プリズム２５の固定のために要する時間も僅かである。
【００４８】
なお、本実施形態のデジタルカメラ１では、レンズ２１ａをもプリズム保持枠４１で保持する構成としているため、成形によるプリズム保持枠４１の製造に際して３つの金型を必要としている。しかし、レンズ２１ａをプリズム保持枠４１で保持しない構成とすることも可能であり、その構成では、プリズム保持枠４１は２つの金型のみを用いる成形で製造することができる。
【００４９】
図８に、プリズム２５および保持部材３１と共に、プリズム２５の斜面２５ｃに設けられた反射コート３２、およびプリズム２５と保持部材３１とを接着した接着剤３３を、模式的に示す。デジタルカメラ１では、プリズム２５の斜面２５ｃに反射コート３２を設け、この反射コート３２と保持部材３１の間に接着剤３３が位置するため、撮影対象からの光Ｌは、接着剤３３に達する前に反射コート３２によって全て反射される。したがって、プリズム２５と接着剤３３と保持部材３１の屈折率の関係に関わらず、光Ｌの一部がプリズム２５と接着剤３３との界面で反射され、残りが接着剤３３と保持部材３１との界面で反射されて、光Ｌが分離するという事態は生じない。なお、反射コート３２は、アルミニウム、銀等を蒸着することで設けられている。
【００５０】
光の分離を防止するための他の構成を図９に模式的に示す。図９の（ａ）は、反射コート３２を保持部材３１の面３１ａに設けて、プリズム２５と反射コート３２との間に接着剤３３が位置するようにするとともに、接着剤３３の屈折率をプリズム２５の屈折率に等しくしたものである。この構成では、光Ｌは全て、プリズム２５と接着剤３３との界面を透過して、反射コート３２によって反射される。なお、プリズム２５と接着剤３３との界面での反射が無視できる程度であれば、プリズム２５と接着剤３３の屈折率に多少の差があってもよい。
【００５１】
図９の（ｂ）は、反射コート３２を省略するとともに、プリズム２５と保持部材３１の縁部のみに接着剤３３を設けて、光Ｌが通過する斜面２５ｃの中央部と保持部材３１との間に、空隙３５を設けたものである。光Ｌは、プリズム２５と空隙３５との界面で全反射される。
【００５２】
図９の（ｃ）は、反射コート３２を省略するとともに、接着剤３３の屈折率をプリズム２５の屈折率に等しくし、さらに、保持部材３１の屈折率を接着剤３３の屈折率よりも大幅に小さくしたものである。この構成では、光は全てプリズム２５と接着剤３３との界面を透過して、大部分が接着剤３３と保持部材３１との界面で反射される。プリズム２５および接着剤３３の屈折率と、保持部材３１の屈折率の差を大きくすれば、接着剤３３と保持部材３１との界面で光Ｌを全反射することも可能になる。プリズム２５と接着剤３３との界面での反射が無視できる程度であれば、プリズム２５と接着剤３３の屈折率に多少の差があってもよい。
【００５３】
本実施形態では、保持部材３１のうち、プリズム２５の直交する２つの面２５ａ、２５ｂの交線に平行な方向の縁部を、プリズム保持枠３１への固定のために利用するようにしているが、面２５ａ、２５ｂの交線に垂直な方向において保持部材３１をプリズム２５よりも大きくし、プリズム２５から突出した保持部材３１の縁部をプリズム保持枠３１への固定のために用いるようにしてもよい。
【図面の簡単な説明】
【００５４】
【図１】本発明の一実施形態のデジタルカメラの外観を模式的に示す図。
【図２】上記デジタルカメラの撮像光学系の側面断面図。
【図３】プリズムをプリズム保持枠に固定するための構成を模式的に示す斜視図。
【図４】接着されたプリズムと保持部材を模式的に示す図。
【図５】プリズムの３つの面に平行な方向から見たプリズムユニットの分解部分断面図。
【図６】プリズムの斜面側から見たプリズムユニットの分解斜視図。
【図７】プリズムの直交する２つの面側から見たプリズムユニットの分解斜視図。
【図８】プリズム、保持部材、プリズムの斜面に設けられた反射コート、およびプリズムと保持部材とを接着した接着剤を模式的に示す側面図。
【図９】光の分離を防止するための変形例の構成を模式的に側面図。
【符号の説明】
【００５５】
１    デジタルカメラ
１０    筐体
１０ａ  基板
１１    対物窓
１２ａ  ファインダー前窓
１２ｂ  ファインダー後窓
１３    フラッシュ発光部
１４    セルフタイマーランプ
１５    表示部
１６    モード設定スイッチ
１７    カーソルボタン
１８    操作キー
１９    レリーズボタン
２１    第１のレンズ群
２１ａ、２１ｂ  第１のレンズ群レンズ
２２    第２のレンズ群
２３    第３のレンズ群
２４    第４のレンズ群
２５    プリズム
２５ａ、２５ｂ  プリズム面
２５ｃ  プリズム斜面
２６    撮像素子
２７    光学ローパスフィルタ
３１    保持部材
３１ａ  保持部材接着面
３１ｂ  保持部材側面
３２    反射コート
３３    接着剤
３５    空隙
４０    プリズムユニット
４１    プリズム保持枠
４１ａ〜４１ｅ  基準面
５０    撮像光学ユニット
【図１】
0004655513.tif 000002
【図２】
0004655513.tif 000003
【図３】
0004655513.tif 000004
【図４】
0004655513.tif 000005
【図５】
0004655513.tif 000006
【図６】
0004655513.tif 000007
【図７】
0004655513.tif 000008
【図８】
0004655513.tif 000009
【図９】
0004655513.tif 000010